(57)【要約】【課題】レール本体の開口部を開閉する作業が容易で、かつ、レールカバーを意に反して開くのを防止できるタバコの吸殻等回収用レール装置を提供する。【解決手段】タバコの吸殻等を載せて運ぶコンベヤ６を内部に収容するレール本体４と、そのレール本体４の開口部８を覆うようにレール本体４に組み付けるレールカバー５とを具え、そのレールカバー５がレール本体４の開口部８を開閉する方向へ回動するようにレールカバー５の一端をレール本体４に対し回動自在に連結し、又、レールカバー５がレール本体４の開口部８を閉じた状態においてレールカバー５の他端をレール本体４に対し係止可能とし、さらに、レール本体４にフック１６を設けるとともに、レールカバー５がレール本体４の開口部８を閉じた状態において、そのフック１６に係止してレールカバー５をレール本体４に固定可能な留め具１７をレールカバー５に設けた。【選択図】　　　　図３
2004081507.tif 000002
【特許請求の範囲】
【請求項１】
タバコの吸殻等を載せて運ぶコンベヤ６を内部に収容するレール本体４と、そのレール本体４の開口部８を覆うようにレール本体４に組み付けるレールカバー５とを具え、そのレールカバー５がレール本体４の開口部８を開閉する方向へ回動するようにレールカバー５の一端をレール本体４に対し回動自在に連結し、又、レールカバー５がレール本体４の開口部８を閉じた状態においてレールカバー５の他端をレール本体４に対し係止可能とし、さらに、レール本体４にフック１６を設けるとともに、レールカバー５がレール本体４の開口部８を閉じた状態において、そのフック１６に係止してレールカバー５をレール本体４に固定可能な留め具１７をレールカバー５に設けたことを特徴とするタバコの吸殻等回収用レール装置。
【発明の詳細な説明】
【０００１】
【発明の属する技術分野】
本発明は、タバコの吸殻等回収用レール装置に関する。
【０００２】
【従来の技術】
例えばパチンコ店などでは、タバコを吸いながらパチンコやスロットマシン等の遊技機で遊ぶ客が多い。しかしながら、タバコの煙や臭いを嫌悪する客も多く、この人々に嫌われると店の売上げが減ってしまう。そこで、タバコの吸殻等を回収して、店の内部環境を快適にするための装置を、例えばパチンコ台やスロットマシンなどの遊技機の傍に設置する店が増えている。
【０００３】
このような装置として、遊技機の前にある台の下側に取り付けるタバコの吸殻等回収用レール装置が存在する。この装置は、台に設けた灰皿から落下する吸殻等を載せて運び去るものであって、内部にベルト等のコンベアを収容するレール本体と、そのレール本体の開口部を覆うレールカバーとを具えている。
【０００４】
なお、レール本体とレールカバーは、複数台の遊技機の前に一連に設けるので、全長が相当な長さになる。そのため、複数本を横方向に並べて連続させる構造になっている。
【０００５】
ところで、このレール装置を長期間にわたって使用すると、レール本体の内部にタバコの臭いやヤニが付着するので、定期的にレール本体の内部を洗浄して衛生的にする必要がある。そして、レール本体の内部を洗浄するにはレール本体の開口部を開いた状態にする必要がある。
【０００６】
ところで、従来のレール装置は、図４に示すように、レール本体３２に着脱自在に組み付けたレールカバー３１を適宜な間隔で押え止め部材３３により固定していたので、その押え止め部材３３を外してから、さらに、レールカバー３１を外して、レール本体３２の開口部３４を開く必要があり、作業が極めて面倒であった。また、押え止め部材３３が外れて、レールカバー３１も意に反して外れてしまうという問題もあった。
【０００７】
【発明が解決しようとする課題】
そこで本発明は、レール本体の開口部を開閉する作業が容易で、かつ、レールカバーが意に反して開くのを防止できるタバコの吸殻等回収用レール装置の提供を課題とする。
【０００８】
【課題を解決するための手段】
上記課題を解決するために、本発明のタバコの吸殻等回収用レール装置は、タバコの吸殻等を載せて運ぶコンベヤ６を内部に収容するレール本体４と、そのレール本体４の開口部８を覆うようにレール本体４に組み付けるレールカバー５とを具え、そのレールカバー５がレール本体４の開口部８を開閉する方向へ回動するようにレールカバー５の一端をレール本体４に対し回動自在に連結し、又、レールカバー５がレール本体４の開口部８を閉じた状態においてレールカバー５の他端をレール本体４に対し係止可能とし、さらに、レール本体４にフック１６を設けるとともに、レールカバー５がレール本体４の開口部８を閉じた状態において、そのフック１６に係止してレールカバー５をレール本体４に固定可能な留め具１７をレールカバー５に設けたことを特徴とする、という構成にしたものである。
【０００９】
【発明の実施の形態】
以下、図示した一実施例に基づき本発明の実施の形態について説明する。まず、本発明のタバコの吸殻等回収用レール装置は、レール本体４と、そのレール本体４に組み付けるレールカバー５とを具えて、それらを、図１に示すように、パチンコ台やスロットマシンなどの遊技機１の前に玉箱などを置くために設けた台２の下側に取り付けている。なお、この台２の上面側には灰皿３を一体的に設け、その灰皿３は台２の下側に開口させて、灰皿３に入れた吸殻等を台２の下に落下させてレール本体４の内部へ収容可能としている。
【００１０】
なお、１本のレール本体４の長さは４ｍ程度で、又、レールカバー５は２ｍ程度であり、図１に示すように、共に複数本を横方向に並べて連続させることにより使用する。なお、レール本体４とレールカバー５はアルミ等の金属で成形することができる。
【００１１】
図２に示すように、レール本体４は、吸殻等を運ぶためのベルト等のコンベヤ６を収容する内部スペース７を有するとともに、その内部スペース７には開口部８を設けている。また、内部スペース７にはコンベヤ６の往路用のガイド板部９を設けて、そのガイド板部９によりコンベヤ６の往路と復路を上下に仕切ることができる。なお、コンベヤ６の復路用のガイド板部１０は後述するレールカバー５に設けることができる。また、レール本体４の天板部１１において上記の灰皿３と対応する位置には、灰皿３と開通する吸殻等落下孔（図は省略）を設けている。
【００１２】
レールカバー５はレール本体４に対し、その開口部８を覆うように組み付けている。レールカバー５は、その幅方向の一端（後端）をレール本体４に対し回動自在に連結している。すなわち、レール本体４の後端部に被係止部１２を設けるとともに、レールカバー５の後端部に係止部１３を設けて、その被係止部１２に係止部１３を係止することにより、レール本体４の被係止部１２を中心としてレールカバー５を回動自在としている。レールカバー５はこの回動によりレール本体４の開口部８を開閉する方向へ動くようになっている。そして、レールカバー５がレール本体４の開口部８を閉じた状態（図２の状態）で、レールカバー５の前端部をレール本体４の前端部に係止可能としている。すなわち、レールカバー５の前端部に係止部１４を設けるとともに、レール本体４の前端部に被係止部１５を設けている。
【００１３】
また、レール本体４は前端部にフック１６を取付けている。これに対し、レールカバー５は前端部に留め具１７を設けている。
【００１４】
その留め具１７は、レールカバー５に固着する台座１８と、その台座１８に対し一端を回動自在に連結して起伏自在なレバー１９と、そのレバー１９の一端の回転中心部２０から少し離れた位置に一端を回動自在に取付けた連結リング２１を具えた構成にすることができる。
【００１５】
この留め具１７は、図３に示すように、レバー１９を台座１８から起こした状態で、連結リング２１をレ−ル本体４のフック１６に係止したり、又はその係止を外したりすることができ、又、その連結リング２１をフック１６に係止した状態で、レバー１９を台座１８に伏せることにより（図２の状態）、フック１６に係止した連結リング２１を外れないようにすることができる。なお、レバー１９を起こした状態と伏せた状態で、それぞれレバー１９を台座１８に対し係止可能としているが、その係止部材の図は省略した。
【００１６】
レール本体４は、上記のように、複数本を横方向に並べて台２の下面側に取付けるが、その取付けはビス等を用いて行なうことができる。
【００１７】
なお、レール装置の一端にはコンベヤ６を駆動するモータ（図は省略）等を配し、レール装置の他端には図１に示すように吸殻等回収ボックス２２を設置することができる。すなわち、灰皿３に入れた吸殻等は、その灰皿３からレール本体４の中に落下してコンベヤ６の上に載り、そのコンベヤ６により吸殻等回収ボックス２２へ送ることができる。
【００１８】
【発明の効果】
本発明は、レール本体４の開口部８を開く場合に、従来品のようにレールカバーをレール本体から取り外す必要がなく、レールカバー５を回転させるだけでよく、又、レール本体４の開口部８を閉じる場合もレールカバー５を逆方向へ回転させればよいので、レール本体４の開口部８の開閉作業が容易で、レール本体４の内部を洗浄する場合などに便利である。
また、レール本体４の開口部８をレールカバー５が閉じた状態で、レール本体４のフック１６にレールカバー５の留め具１７を係止してレールカバー５をレール本体４に対し固定できるので、レールカバー５が意に反して開くのを防止することができる。
【図面の簡単な説明】
【図１】遊技機の前の台の下側にレール装置を設けた状態の正面図である。
【図２】図１のＡ−Ａ線における断面図である。
【図３】レールカバーを回動させてレール本体の開口部を開いた状態の断面図である。
【図４】従来例の断面図である。
【符号の説明】
１　遊技機
２　台
３　灰皿
４　レール本体
５　レールカバー
６　コンベヤ
７　内部スペース
８　開口部
９　ガイド板部
１０　ガイド板部
１１　天板部
１２　被係止部
１３　係止部
１４　係止部
１５　被係止部
１６　フック
１７　留め具
１８　台座
１９　レバー
２０　回転中心部
２１　連結リング
２２　吸殻等回収ボックス
３１　レールカバー
３２　レール本体
３３　押え止め部材
３４　開口部
【図１】
2004081507.tif 000003
【図２】
2004081507.tif 000004
【図３】
2004081507.tif 000005
【図４】
2004081507.tif 000006